(57)【要約】【課題】ゴルフプレーヤーは、プレー中において個々の技量に合致するアドバイスを受け、アドバイスを参考にしてプレーすることができ、ゴルフプレーヤーのスコアメークを援助するゴルフプレー支援システム、方法、アドバイスサーバ、プログラムを提供する。【解決手段】端末装置１０１と、プレーヤーの素振りのスウィングを撮影するビデオカメラ１０５と、風向きと風速とを検出する風向き検出器１０３と、アドバイス情報を表示する表示部１０２とをゴルフカート１０に搭載し、アドバイスサーバ２０は、予めプレーヤの技量情報とプロゴルファーのスイングの映像情報とを格納し、端末装置１０１から受信した情報を参照して、個々のプレーヤーの技量に合致するアドバイスを送信する。【選択図】      図１
2005253858.tif 000002
【特許請求の範囲】
【請求項１】
ゴルフカートに端末装置を搭載したカート装置と、ゴルフプレイヤーに対してプレイ時のアドバイスをするアドバイスサーバと、ゴルフ場の各ホールに設けられボールの位置の地形情報を撮影する撮影装置とをネットワークを介して接続し、前記アドバイスサーバからのアドバイス情報を前記カート装置で受信するゴルフプレー支援システムにおいて、前記カート装置は、前記アドバイス情報を表示する表示部と、風向きと風速とを検出する風向き検出器と、ゴルファーの素振りのスウィングを撮影するビデオカメラとを有し、前記アドバイスサーバは、予めプレーヤの技量情報をユーザデータベースに格納する手段と、予めプロゴルファーのクラブ毎のスイングの映像をプロデータベースに格納する手段と、ゴルフ場の各ホール毎のグリーン情報をグリーンデータベースに格納する手段と、ティーショット時にアドバイスする第一アドバイス手段と、第二打からグリーン上にオンするまでのショット時にアドバイスする第二アドバイス手段と、グリーン上でのパット時にアドバイスする第三アドバイス手段とを有することを特徴とするゴルフプレー支援システム。
【請求項２】
前記第一アドバイス手段は、素振りのスウィングを元にフォームをアドバイスする手段と、プロゴルファーの打ち方を提示する手段と、前記風向き検出器の情報を元に打つ方向を指示する手段とを有し、前記第二アドバイス手段は、ボールの位置の地形情報を元に打ち方をアドバイスする手段と、プロゴルファーの打ち方を提示する手段と、前記ユーザデータベースを検索し使用するクラブを選択する手段とを有し、前記第三アドバイス手段は、グリーンのアンジュレーションとラインと芝目とカップまでの距離情報とをアドバイスする手段を有することを特徴とする請求項１記載のゴルフプレー支援システム。
【請求項３】
前記端末装置は、前記カート装置の位置を検出するグローバル・ポジショニング・システムと、コースマップ情報とを有することを特徴とする請求項１記載のゴルフプレー支援システム。
【請求項４】
前記端末装置は、前記グローバル・ポジショニング・システムの測位情報と前記コースマップ情報とからグリーンまでの距離を自動計測する手段を有することを特徴とする請求項３記載のゴルフプレー支援システム。
【請求項５】
前記端末装置は、前記ビデオカメラで撮影した映像と、前記風向き検出器の情報と、グリーンまでの距離情報と、グリーン上にオンしたボール位置情報とを前記アドバイスサーバへ送信する手段を有することを特徴とする請求項１記載のゴルフプレー支援システム。
【請求項６】
前記撮影装置は、フェアウェイ上のボール落下点位置の地形情報とグリーン上のボール位置情報とを撮影し、撮影映像を前記端末装置へ送信する手段を有することを特徴とする請求項１記載のゴルフプレー支援システム。
【請求項７】
前記ユーザデータベースは、プレーヤーの各クラブに対する飛距離情報と球筋情報とを有することを特徴とする請求項１記載のゴルフプレー支援システム。
【請求項８】
前記端末装置は、前記アドバイスサーバにアクセスし、プロゴルファー選択画面を前記表示部に表示させる手段を有することを特徴とする請求項１記載のゴルフプレー支援システム。
【請求項９】
ゴルフカートに端末装置を搭載したカート装置と、ゴルフプレイヤーに対してプレイ時のアドバイスをするアドバイスサーバと、ゴルフ場の各ホールに設けられボールの位置の地形情報を撮影する撮影装置とをネットワークを介して接続し、前記アドバイスサーバからのアドバイス情報を前記カート装置で受信するゴルフプレー支援方法において、前記カート装置は、前記アドバイス情報を表示する表示部と、風向きと風速とを検出する風向き検出器と、ゴルファーの素振りのスウィングを撮影するビデオカメラとを有し、前記アドバイスサーバは、予めプレーヤの技量情報をユーザデータベースに格納するステップと、予めプロゴルファーのクラブ毎のスイングの映像をプロデータベースに格納するステップと、ゴルフ場の各ホール毎のグリーン情報をグリーンデータベースに格納するステップと、ティーショット時に第一アドバイス手段によりアドバイスするステップと、第二打からグリーン上にオンするまでのショット時に第二アドバイス手段によりアドバイスするステップと、グリーン上でのパット時に第三アドバイス手段によりアドバイスするステップとを有することを特徴とするゴルフプレー支援方法。
【請求項１０】
前記第一アドバイス手段は、素振りのスウィングを元にフォームをアドバイスするステップと、プロゴルファーの打ち方を提示するステップと、前記風向き検出器の情報を元に打つ方向を指示するステップとを有し、前記第二アドバイス手段は、ボールの位置の地形情報を元に打ち方をアドバイスするステップと、プロゴルファーの打ち方を提示するステップと、前記ユーザデータベースを検索し使用するクラブを選択するステップとを有し、前記第三アドバイス手段は、グリーンのアンジュレーションとラインと芝目とカップまでの距離情報とをアドバイスするステップを有することを特徴とする請求項９記載のゴルフプレー支援方法。
【請求項１１】
前記ユーザデータベースは、プレーヤーの各クラブに対する飛距離情報と球筋情報とを有することを特徴とする請求項９記載のゴルフプレー支援方法。
【請求項１２】
ゴルフカートに端末装置を搭載したカート装置とゴルフ場の各ホールに設けられボールの位置の地形情報を撮影する撮影装置と共にネットワークを介して接続し、ゴルフプレイヤーに対してプレイ時のアドバイス情報を前記カート装置に送信するアドバイスサーバにおいて、予めプレーヤの技量情報をユーザデータベースに格納する手段と、予めプロゴルファーのクラブ毎のスイングの映像をプロデータベースに格納する手段と、ゴルフ場の各ホール毎のグリーン情報をグリーンデータベースに格納する手段と、ティーショット時にアドバイスする第一アドバイス手段と、第二打からグリーン上にオンするまでのショット時にアドバイスする第二アドバイス手段と、グリーン上でのパット時にアドバイスする第三アドバイス手段とを有することを特徴とするアドバイスサーバ。
【請求項１３】
前記第一アドバイス手段は、素振りのスウィングを元にフォームをアドバイスする手段と、プロゴルファーの打ち方を提示する手段と、前記風向き検出器の情報を元に打つ方向を指示する手段とを有し、前記第二アドバイス手段は、ボールの位置の地形情報を元に打ち方をアドバイスする手段と、プロゴルファーの打ち方を提示する手段と、前記ユーザデータベースを検索し使用するクラブを選択する手段とを有し、前記第三アドバイス手段は、グリーンのアンジュレーションとラインと芝目とカップまでの距離情報とをアドバイスする手段を有することを特徴とする請求項１２記載のアドバイスサーバ。
【請求項１４】
コンピュータを、ゴルフカートに端末装置を搭載したカート装置とゴルフ場の各ホールに設けられボールの位置の地形情報を撮影する撮影装置と共にネットワークを介して接続し、ゴルフプレイヤーに対してプレイ時のアドバイス情報を前記カート装置に送信するアドバイスサーバとして機能させるためのプログラムであって、コンピュータを、予めプレーヤの技量情報をユーザデータベースに格納する手段、予めプロゴルファーのクラブ毎のスイングの映像をプロデータベースに格納する手段、ゴルフ場の各ホール毎のグリーン情報をグリーンデータベースに格納する手段、ティーショット時にアドバイスする第一アドバイス手段、第二打からグリーン上にオンするまでのショット時にアドバイスする第二アドバイス手段、グリーン上でのパット時にアドバイスする第三アドバイス手段として機能させるためのプログラム。
【発明の詳細な説明】
【技術分野】
【０００１】
本発明は、ゴルフプレー支援システム、方法、アドバイスサーバ、プログラムに関し、特に、ゴルフプレーヤーは、プレー中においてショットを行う前に、個々の技量に合致するアドバイスを受け、アドバイスを参考にしてプレーすることができ、ゴルフプレーヤーのスコアメークを援助するゴルフプレー支援システム、方法、アドバイスサーバ、プログラムに関する。
【背景技術】
【０００２】
従来、ゴルフプレーヤーのプレーを支援するため、ゴルフプレーヤーが所持するプレーヤー端末から出力された位置情報とプレー情報とを管理用コンピュータで集計・分析して作成されたプレーヤー情報と、各ホールのコース情報とを合成処理し、推奨クラブのアドバイス情報を作成し、これを保存するサーバからプレーヤー端末に配信することにより、プレーヤーは、ゴルフプレーに資するデータを入手することができるものがある（例えば、特許文献１参照。）。
【０００３】
また、プレーヤーが携帯する携帯通信端末と、データセンターとの間を通信網を介して接続し、データセンターは、携帯通信端末からのプレーデータ、練習結果データを個人データ格納部に格納し、同伴競技者のプレー状況をグループデータ格納部に格納し、ゴルフ場対応のコースマップデータを共通データ格納部に格納し、携帯通信端末からのアドバイス要求に対して、個人データ格納部のデータを元に、プレーヤー個人に対するアドバイスを提供するものもある（例えば、特許文献２参照。）。
【０００４】
【特許文献１】特開２００３ー２３０６５０号公報
【特許文献２】特開２００２ー０２４４６６号公報
【発明の開示】
【発明が解決しようとする課題】
【０００５】
上記特許文献１記載の技術は、プレーヤーがショットする際、適切なクラブ選択のアドバイスを受けることができ、また、プレーの前後に過去のプレーを仮想現実的なシミュレーション画像として再現し、予習・復習を行えるものの、ショットの際、特に、プレーヤーにとって重要なスウィングのフォームに関するアドバイス、ボールの位置の地形状態に応じたショット方法などのアドバイスを受けることができないという課題がある。
【０００６】
また、特許文献２記載の技術は、プレーヤーが携帯通信端末を保持してゴルフコースをラウンドするとき、プレーヤー個人の過去のプレーデータを参照でき、且つ、適切なクラブ選択、風向き・風力などついてのアドバイスを受けることができるものの、スウィングのフォームに関するアドバイス、ボールの位置の地形状態に応じたショット方法などのアドバイスを受けることができないという課題がある。
【０００７】
本発明の目的は、上記課題を解決すべく、端末装置と、プレーヤーの素振りのスウィングを撮影するビデオカメラと、風向きと風速とを検出する風向き検出器と、アドバイス情報を表示する表示部とをゴルフカートに搭載し、アドバイスサーバは、予めプレーヤの技量情報とプロゴルファーのクラブ毎のスイングの映像情報とを格納しておき、ティーショット時、第二打からグリーン上にオンするまでのショット時、グリーン上でのパット時において、プレーヤーは、スウィングに対するアドバイス、個々の技量に合致するアドバイスを受け、また、プロゴルファーの映像情報でのショットを参考にしてプレーすることができ、プレーヤーのスコアメークを援助することのできるゴルフプレー支援システム、方法、アドバイスサーバ、プログラムを提供することにある。
【課題を解決するための手段】
【０００８】
本発明のゴルフプレー支援システムは、ゴルフカートに端末装置を搭載したカート装置と、ゴルフプレイヤーに対してプレイ時のアドバイスをするアドバイスサーバと、ゴルフ場の各ホールに設けられボールの位置の地形情報を撮影する撮影装置とをネットワークを介して接続し、アドバイスサーバからのアドバイス情報をカート装置で受信するゴルフプレー支援システムにおいて、カート装置は、アドバイス情報を表示する表示部と、風向きと風速とを検出する風向き検出器と、ゴルファーの素振りのスウィングを撮影するビデオカメラとを有し、アドバイスサーバは、予めプレーヤの技量情報をユーザデータベースに格納する手段と、予めプロゴルファーのクラブ毎のスイングの映像をプロデータベースに格納する手段と、ゴルフ場の各ホール毎のグリーン情報をグリーンデータベースに格納する手段と、ティーショット時にアドバイスする第一アドバイス手段と、第二打からグリーン上にオンするまでのショット時にアドバイスする第二アドバイス手段と、グリーン上でのパット時にアドバイスする第三アドバイス手段とを有することを特徴とする。
【０００９】
第一アドバイス手段は、素振りのスウィングを元にフォームをアドバイスする手段と、プロゴルファーの打ち方を提示する手段と、風向き検出器の情報を元に打つ方向を指示する手段とを有し、第二アドバイス手段は、ボールの位置の地形情報を元に打ち方をアドバイスする手段と、プロゴルファーの打ち方を提示する手段と、ユーザデータベースを検索し使用するクラブを選択する手段とを有し、第三アドバイス手段は、グリーンのアンジュレーションとラインと芝目とカップまでの距離情報とをアドバイスする手段を有することを特徴とする。
【００１０】
端末装置は、カート装置の位置を検出するグローバル・ポジショニング・システムと、コースマップ情報とを有することを特徴とする。
【００１１】
端末装置は、グローバル・ポジショニング・システムの測位情報とコースマップ情報とからグリーンまでの距離を自動計測する手段を有することを特徴とする。
【００１２】
端末装置は、ビデオカメラで撮影した映像と、風向き検出器の情報と、グリーンまでの距離情報と、グリーン上にオンしたボール位置情報とをアドバイスサーバへ送信する手段を有することを特徴とする。
【００１３】
撮影装置は、フェアウェイ上のボール落下点位置の地形情報とグリーン上のボール位置情報とを撮影し、撮影映像を端末装置へ送信する手段を有することを特徴とする。
【００１４】
ユーザデータベースは、プレーヤーの各クラブに対する飛距離情報と球筋情報とを有することを特徴とする。
【００１５】
端末装置は、アドバイスサーバにアクセスし、プロゴルファー選択画面を表示部に表示させる手段を有することを特徴とする。
【００１６】
本発明のゴルフプレー支援方法は、ゴルフカートに端末装置を搭載したカート装置と、ゴルフプレイヤーに対してプレイ時のアドバイスをするアドバイスサーバと、ゴルフ場の各ホールに設けられボールの位置の地形情報を撮影する撮影装置とをネットワークを介して接続し、アドバイスサーバからのアドバイス情報をカート装置で受信するゴルフプレー支援方法において、カート装置は、アドバイス情報を表示する表示部と、風向きと風速とを検出する風向き検出器と、ゴルファーの素振りのスウィングを撮影するビデオカメラとを有し、アドバイスサーバは、予めプレーヤの技量情報をユーザデータベースに格納するステップと、予めプロゴルファーのクラブ毎のスイングの映像をプロデータベースに格納するステップと、ゴルフ場の各ホール毎のグリーン情報をグリーンデータベースに格納するステップと、ティーショット時に第一アドバイス手段によりアドバイスするステップと、第二打からグリーン上にオンするまでのショット時に第二アドバイス手段によりアドバイスするステップと、グリーン上でのパット時に第三アドバイス手段によりアドバイスするステップとを有することを特徴とする。
【００１７】
第一アドバイス手段は、素振りのスウィングを元にフォームをアドバイスするステップと、プロゴルファーの打ち方を提示するステップと、風向き検出器の情報を元に打つ方向を指示するステップとを有し、第二アドバイス手段は、ボールの位置の地形情報を元に打ち方をアドバイスするステップと、プロゴルファーの打ち方を提示するステップと、ユーザデータベースを検索し使用するクラブを選択するステップとを有し、第三アドバイス手段は、グリーンのアンジュレーションとラインと芝目とカップまでの距離情報とをアドバイスするステップを有することを特徴とする。
【００１８】
ユーザデータベースは、プレーヤーの各クラブに対する飛距離情報と球筋情報とを有することを特徴とする。
【００１９】
本発明のアドバイスサーバは、ゴルフカートに端末装置を搭載したカート装置とゴルフ場の各ホールに設けられボールの位置の地形情報を撮影する撮影装置と共にネットワークを介して接続し、ゴルフプレイヤーに対してプレイ時のアドバイス情報をカート装置に送信するアドバイスサーバにおいて、予めプレーヤの技量情報をユーザデータベースに格納する手段と、予めプロゴルファーのクラブ毎のスイングの映像をプロデータベースに格納する手段と、ゴルフ場の各ホール毎のグリーン情報をグリーンデータベースに格納する手段と、ティーショット時にアドバイスする第一アドバイス手段と、第二打からグリーン上にオンするまでのショット時にアドバイスする第二アドバイス手段と、グリーン上でのパット時にアドバイスする第三アドバイス手段とを有することを特徴とする。
【００２０】
第一アドバイス手段は、素振りのスウィングを元にフォームをアドバイスする手段と、プロゴルファーの打ち方を提示する手段と、風向き検出器の情報を元に打つ方向を指示する手段とを有し、第二アドバイス手段は、ボールの位置の地形情報を元に打ち方をアドバイスする手段と、プロゴルファーの打ち方を提示する手段と、ユーザデータベースを検索し使用するクラブを選択する手段とを有し、第三アドバイス手段は、グリーンのアンジュレーションとラインと芝目とカップまでの距離情報とをアドバイスする手段を有することを特徴とする。
【００２１】
本発明のプログラムは、コンピュータを、ゴルフカートに端末装置を搭載したカート装置とゴルフ場の各ホールに設けられボールの位置の地形情報を撮影する撮影装置と共にネットワークを介して接続し、ゴルフプレイヤーに対してプレイ時のアドバイス情報をカート装置に送信するアドバイスサーバとして機能させるためのプログラムであって、コンピュータを、予めプレーヤの技量情報をユーザデータベースに格納する手段、予めプロゴルファーのクラブ毎のスイングの映像をプロデータベースに格納する手段、ゴルフ場の各ホール毎のグリーン情報をグリーンデータベースに格納する手段、ティーショット時にアドバイスする第一アドバイス手段、第二打からグリーン上にオンするまでのショット時にアドバイスする第二アドバイス手段、グリーン上でのパット時にアドバイスする第三アドバイス手段として機能させることを特徴とする。
【発明の効果】
【００２２】
本発明のゴルフプレー支援システム、ゴルフプレー支援方法、アドバイスサーバ、プログラムによれば、ティーショット時、第二打からグリーン上にオンするまでのショット時、グリーン上でのパット時の各プレイ時において、プレーヤーは、スウィングに対するアドバイス、コースコンディションに対するアドバイス、個々の技量に合致するアドバイスを受け、また、プロゴルファーの映像情報でのショットを参考にしてプレーすることができ、プレーヤーのスコアメークを援助することができるという効果がある。
【発明を実施するための最良の形態】
【００２３】
次に、本発明を実施するための最良の形態について、図面を参照して詳細に説明する。
【００２４】
図１は、本発明のゴルフプレー支援システム１を示す構成ブロック図、図２は、図１中のカート装置１０を示す構成ブロック図、図３は、図１中のアドバイスサーバ２０を示す構成ブロック図である。
【００２５】
図１〜図３を参照すると、本発明のゴルフプレー支援システム１は、ゴルフカート２に端末装置１０１を搭載したカート装置１０と、ゴルフプレイヤーに対してプレイ時のアドバイスを行うアドバイスサーバ２０と、ゴルフ場の各ホールに設けられボールの位置の地形情報を撮影する撮影装置３０とをインターネット１００を介して接続し、アドバイスサーバ２０からのアドバイス情報をカート装置１０で受信するよう構成する。なお、撮影装置３０は、デジタルカメラである。
【００２６】
端末装置１０１は、カート装置１０の位置を検出するグローバル・ポジショニング・システム１１１（以降、ＧＰＳと称す）と、ゴルフコースの全ホールに対する経度と緯度とを対応付けしたコースマップ情報１１２とを備えて構成する。なお、端末装置１０１は、一例として、携帯型パーソナルコンピュータとする。
【００２７】
カート装置１０は、アドバイス情報を表示する表示部１０２（携帯型パーソナルコンピュータのディスプレイ）と、風向きと風速とを検出する風向き検出器１０３と、ゴルファーの素振りのスウィングを撮影するビデオカメラ１０５と、アドバイス情報を音声に変換するスピーカ１０４とで構成する。ビデオカメラ１０５は、デジタルカメラである。
【００２８】
アドバイスサーバ２０は、磁気ディスク装置２０１と、データ処理部２００とを有し、データ処理部２００は、プレーヤーのティーショット時にアドバイスする第一アドバイス手段２１０と、第二打からグリーン上にオンするまでのショット時にアドバイスする第二アドバイス手段２２０と、グリーン上でのパット時にアドバイスする第三アドバイス手段２３０とを備えて構成する。
【００２９】
第一アドバイス手段２１０は、素振りのスウィングを元にフォームをアドバイスするフォームアドバイス手段２１１と、プロゴルファーの模範的な打ち方を提示するプロゴルファー映像表示手段２１２と、風向き検出器１０３の情報を元に打つ方向を指示するショット方向アドバイス手段２１３とで構成する。第二アドバイス手段２２０は、ボールの位置の地形情報を元に打ち方をアドバイスするショットアドバイス手段２２１と、プロゴルファーの模範的な打ち方を提示するプロゴルファー映像表示手段２２２と、ユーザデータベース２０２を検索し使用するクラブを選択するクラブ選択手段２２３とで構成する。第三アドバイス手段２３０は、グリーンのアンジュレーションとラインと芝目とカップまでの距離情報とをアドバイスするパッティングアドバイス手段２３１を備えている。
【００３０】
磁気ディスク装置２０１は、予めプレーヤの技量情報を格納するユーザデータベース２０２と、予めプロゴルファーのクラブ毎のスイングの映像を格納するプロデータベース２０３と、ゴルフ場の各ホール毎のグリーン情報を格納するグリーンデータベース２０４とで構成する。
【００３１】
次に、上述のように構成したゴルフプレー支援システム１の動作について、図面を参照して説明する。
【００３２】
図４および図５は、ゴルフプレー支援システム１の動作を説明するためのフローチャートである。
【００３３】
ゴルフプレーヤーは、プレイする前に、予めユーザデータベース２０２に、プレーヤーの各クラブに対する飛距離情報と球筋情報（癖）とを格納しておく（図６参照）。
【００３４】
図４、５を参照すると、まず、ゴルファーＡは、最初のホール（１番ホールとする）のティーにボールをティーアップする前に、ドライバー（１番ウッド）の素振りをして、ビデオカメラ１０５でスウィングを撮影し、端末装置１０１は、ビデオカメラ１０５で撮影した映像を受信し、アドバイスサーバ２０へスウィング映像を送信する（ステップＡ１）。なお、ゴルファーＡは、ボールをティーアップした後、ティーから離れてアドレスし、素振りをしてもよい。
【００３５】
次にゴルファーＡは、端末装置１０１からアドバイスサーバ２０へアクセスし、図７に示すプロゴルファー選択画面１２０を表示部１０２に表示させ、複数のプロゴルファーの中で自分の好みのプロゴルファーを選択（一例として、△山茂樹Ｌを選択）後、図８に示すドライバー／スウィングの映像を選択し、選択結果をアドバイスサーバ２０へ送信する（ステップＡ２）。なお、アドバイスサーバ２０は、図示しないプロゴルファー選択画面表示手段を備えている。
【００３６】
風向き検出器１０３は、ティー近辺の風向きと風速とを計測し、端末装置１０１は、計測値を風向き検出器１０３から受信し、アドバイスサーバ２０へ送信する（ステップＡ３）。
【００３７】
アドバイスサーバ２０は、上記受信情報を元に、第一アドバイス手段２１０によるアドバイスをカート装置１０内の端末装置１０１へ送信する（ステップＢ１）。フォームアドバイス手段２１１は、受信したスウィング映像情報を元に、”貴方のスイングは肩に力が入っているので、力を抜いて下さい”というアドバイスをする。なお、アドバイスサーバ２０は、図示省略するが、典型的な矯正すべきスウィングに対するアドバイスを複数種類用意しておき、受信したスウィング映像情報と比較して、該当するアドバイスを選択するものとする。
【００３８】
プロゴルファー映像表示手段２１２は、ゴルファーＡの選択した△山茂樹Ｌのドライバー／スウィングの映像を、プロデータベース２０３を検索して読み出し、映像情報を表示すると共に、”参考にプロゴルファーＬのスイングを見て参考にして下さい”というアドバイスをする。ショット方向アドバイス手段２１３は、風向きと風速との計測値情報を元に、”風向きは左方向からの弱いアゲンストですので、若干右向きでティーに立って下さい”というアドバイスをする。
【００３９】
端末装置１０１は、受信したアドバイス情報と△山茂樹Ｌのドライバー／スウィングの映像を表示部１０２上に表示させる（ステップＡ４）。このとき、スピーカ１０４は、音声により、プレーヤーにアドバイスする。
【００４０】
ゴルファーＡは、アドバイス情報を参考にして、ティーショットを行う（ステップＡ５）。
【００４１】
上述のように、ゴルファーＡは、ティーショットをするときに、キャディに代わってアドバイスサーバ２０により、スウィングのアドバイス、風向き、風の強さに対する打ち方のアドバイスを受け、また、プロゴルファーの打ち方を参考にできるので、安心してショットでき、正確なショットが期待できる。
【００４２】
ゴルフ場３に設置している撮影装置３０（デジタルカメラ）は、ゴルフボールを追跡して落下地点Ｚを特定し、落下地点Ｚの地形情報Ｘを端末装置１０１へ送信する（ステップＣ１）。
【００４３】
端末装置１０１は、ＧＰＳ１１１の測位情報とコースマップ情報１１２とからグリーンまでの距離Ｙを自動計測する（ステップＡ６）。
【００４４】
ゴルファーＡは、端末装置１０１からアドバイスサーバ２０へアクセスし、図７に示すプロゴルファー選択画面１２０を表示部１０２に表示させ、複数のプロゴルファーの中で自分の好みのプロゴルファーを選択し（ステップＡ７）、選択結果を地形情報Ｘ、距離Ｙ情報と共に、アドバイスサーバ２０へ送信する（ステップＡ８）。
【００４５】
アドバイスサーバ２０は、上記受信情報を元に、第二アドバイス手段２２０によるアドバイスをカート装置１０内の端末装置１０１へ送信する（ステップＢ２）。ショットアドバイス手段２２１は、受信した地形情報Ｘを元に、“２打目は右足下がりなのでソケットし易いので気を付けて下さい”というアドバイスと、”指定されたクラブを短めに持って、少し右向きでスイングして下さい”というアドバイスをする。クラブ選択手段２２３は、ユーザデータベース２０２を検索し、グリーンまでの距離Ｙの情報を元に、ゴルファーＡの飛距離から４番アイアンを選択（図６において、例えば、距離Ｙが１５８ヤードのとき、ゴルファーＡの飛距離が１５８ヤードでるのに最適なクラブとして、４番アイアンを選択）するアドバイスをする。プロゴルファー映像表示手段２２２は、ゴルファーＡの選択したプロゴルファーの４番アイアン／スウィングの映像を、プロデータベース２０３を検索して読み出し、映像情報を表示すると共に、”参考にプロゴルファーのスイングを見て参考にして下さい”というアドバイスをする。
【００４６】
端末装置１０１は、受信したアドバイス情報を表示部１０２に表示させる（ステップＡ９）。
【００４７】
ゴルファーＡは、アドバイス情報を参考にして、２打目をショットする（ステップＡ１０）。
【００４８】
ゴルファーＡは、第二打以降のショットをするとき、アドバイスサーバ２０により、個人の技量に応じた最適なクラブを自動選択するので、クラブの選択ミスを減らすことができる。ボール落下地点の地形情報に対応した打ち方のアドバイスを受け、また、プロゴルファーの打ち方を参考にできるので、正確なショットが期待できる。
【００４９】
ゴルフボールがグリーンにオンすると、ゴルフ場３に設置した撮影装置３０は、ボール位置を中心とするグリーン情報Ｗを撮影して、映像を端末装置１０１へ送信する（ステップＣ２）。
【００５０】
ゴルファーＡは、端末装置１０１からアドバイスサーバ２０へアクセスし、図７に示すプロゴルファー選択画面１２０を表示部１０２に表示させ、複数のプロゴルファーの中で自分の好みのプロゴルファーを選択し、選択結果をグリーン情報Ｗと共に、アドバイスサーバ２０へ送信する（ステップＡ１１）。
【００５１】
アドバイスサーバ２０は、ゴルファーＡの選択したプロゴルファー情報と、グリーン情報Ｗとを受信し、第三アドバイス手段２３０によるアドバイスをカート装置１０内の端末装置１０１へ送信する（ステップＢ３）。パッティングアドバイス手段２３１は、グリーンデータベース２０４を検索し、グリーン情報を読み出し、読み出したグリーン情報と撮影装置３０からのグリーン情報Ｗとを参照して、“ピンまでの距離は１５ヤードです”というアドバイスと、”若干スライスラインで登りです”というアドバイスと、”芝目は逆目ですので、強めに打って下さい”というアドバイスとをする。このとき、アドバイスサーバ２０は、図示しないプロゴルファー映像表示手段により、プロデータベース２０３を検索して読み出し、プロゴルファーのパッティングの映像を送信すると共に、”プロゴルファーの映像を送付しますので、参考にして下さい”というアドバイス情報を端末装置１０１へ送信する。
【００５２】
端末装置１０１は、受信したアドバイス情報を表示部１０２へ表示させる（ステップＡ１２）。
【００５３】
ゴルファーＡは、アドバイス情報を参考にしてパッティングを行う（ステップＡ１３）。
【００５４】
ゴルファーＡは、グリーンのアンジュレーションとラインと芝目とカップまでの距離とのアドバイス情報を得ることができ、パッティングのライン、距離、傾斜の読み違えなどをすることなくプレーでき、パッティング精度を向上でき、最終的には、トータル的に高スコアが期待できることになる。
【００５５】
ゴルファーＡは、カップインすると、１ホール目をホールアウトして２ホール目へ向かう。以下同様の動作を実施して、全てのホールを回り、ホールアウトして動作は終了する（ステップＡ１４）。
【図面の簡単な説明】
【００５６】
【図１】本発明のゴルフプレー支援システムを示す構成ブロック図である。
【図２】図１中のカート装置を示す構成ブロック図である。
【図３】図１中のアドバイスサーバを示す構成ブロック図である。
【図４】ゴルフプレー支援システムの動作を説明するためのフローチャートである。
【図５】ゴルフプレー支援システムの動作を説明するためのフローチャートである。
【図６】ユーザデータベースを説明するための図である。
【図７】プロゴルファー選択画面を示す図である。
【図８】プロデータベースを説明するための図である。
【符号の説明】
【００５７】
１    ゴルフプレー支援システム
２    ゴルフカート
３    ゴルフ場
１０    カート装置
１００    インターネット
１０１    端末装置
１０２    表示部
１０３    風向き検出器
１０４    スピーカ
１０５    ビデオカメラ
１１１    ＧＰＳ
１１２    コースマップ情報
１２０    プロゴルファー選択画面
２０    アドバイスサーバ
２００    データ処理部
２０１    磁気ディスク装置
２０２    ユーザデータベース
２０３    プロデータベース
２０４    グリーンデータベース
２１０    第一アドバイス手段
２１１    フォームアドバイス手段
２１２    プロゴルファー映像表示手段
２１３    ショット方向アドバイス手段
２２０    第二アドバイス手段
２２１    ショットアドバイス手段
２２２    プロゴルファー映像表示手段
２２３    クラブ選択手段
２３０    第三アドバイス手段
２３１    パッティングアドバイス手段
３０    撮影装置
Ｗ    グリーン情報
Ｘ    地形情報
Ｙ    距離
Ｚ    落下地点
【図１】
2005253858.tif 000003
【図２】
2005253858.tif 000004
【図３】
2005253858.tif 000005
【図４】
2005253858.tif 000006
【図５】
2005253858.tif 000007
【図６】
2005253858.tif 000008
【図７】
2005253858.tif 000009
【図８】
2005253858.tif 000010